(57)【要約】【課題】複数の機器同士の間でのデータ転送において、直接データを転送することが困難な場合でも、低コストで、且つ、手数を掛けずに容易にデータ転送が行えるようにする。【解決手段】カーナビと携帯端末との間で接続設定が済んでなければ（１３１）設定の処理を行う（１３２）。携帯端末とカーナビとの接続処理が開始され、接続が確立される（１３３）。カーナビは自身の機器管理表を更新する（１３４）。ディジタルTV放送受信機からのサービス利用を決める。携帯端末を介してディジタルTV放送受信機に上記サービスの利用に必要なデータの転送要求を送信する（１３６）。完了するとエントリをカーナビのデータ転送管理表から削除する（１３７）。ユーザが車輌内から出ることで携帯端末とカーナビとの間で確立していた短距離無線通信のための接続（通信路）が切断される（１３８）。【選択図】図８
2008182365.tif 000002
【特許請求の範囲】
【請求項１】
各々が無線通信機能を有する複数の機器同士の間で、無線通信機能を有する媒介機器を通じて互いに必要とするデータの授受を行うデータ転送システムにおいて、
前記媒介機器が、
前記複数の機器の何れかとの間で無線通信によるデータの授受が可能な環境に置かれた場合に、前記複数の機器の１つである送信元機器から無線送信されたデータを受信し、該受信したデータが前記複数の機器の別の１つである受信側機器にとって必要なものであれば、該データを入力するデータ入力部と、
前記データ入力部により入力されるデータを保持するデータ保持部と、
前記受信側機器との間で無線通信によるデータの授受が可能な環境に置かれた場合に、前記データ保持部に保持されているデータを、前記受信側機器へ無線送信するデータ送信部と、
を備えるデータ転送システム。
【請求項２】
請求項１記載のデータ転送システムにおいて、
前記送信元機器が、前記データ保持部の記憶容量よりも大きい量のデータを無線送信する場合に、該データを少なくとも前記データ保持部の記憶容量と同程度の大きさに分割してから無線送信するようにしたデータ転送システム。
【請求項３】
請求項１記載のデータ転送システムにおいて、
前記媒介機器と前記複数の機器の何れかとの間のデータ授受が終了する以前に、前記媒介機器と前記機器との間の無線通信が切断された場合には、一旦該データ授受が終了したものと判断し、前記媒介機器と前記機器との間の無線通信が再開された時点で、残りのデータの授受を行うようにする処理部、
を前記媒介機器、又は前記複数の機器の各々に備えるようにしたデータ転送システム。
【請求項４】
請求項１記載のデータ転送システムにおいて、
前記媒介機器が、
前記データ保持部の記憶容量が、前記媒介機器が本来の機能を発揮するのに不足しているかどうかチェックし、該チェックの結果、不足していると判断した場合には、前記データ保持部に保持されているデータを消去するデータ消去部、
を更に備えるデータ転送システム。
【請求項５】
請求項１記載のデータ転送システムにおいて、
前記媒介機器が、
前記各々の機器が互いにデータの授受を行っても差し支えのない正当な機器であるかどうか判別する機器判別部と、
前記機器判別部が正当でないと判別した機器からのデータ受信、又は該機器へのデータ送信を禁止するデータ送／受信禁止部と、
を更に備えるデータ転送システム。
【請求項６】
請求項１記載のデータ転送システムにおいて、
前記各々の機器、及び前記媒介機器の有する無線通信機能が、短距離無線通信機能であるデータ転送システム。
【発明の詳細な説明】
【技術分野】
【０００１】
本発明は、各々が無線通信機能を有する複数の機器同士の間で、無線通信機能を有する媒介機器を通じて互いに必要とするデータの授受を行うデータ転送システムに関する。
【背景技術】
【０００２】
従来、家庭用情報処理機器とカーナビゲーションシステム（以下、「カーナビ」と略記する。）との間で情報を共有するシステムにおいて、カーナビが、外部情報を低コストで取得できるようにすることを目的とした技術が提案されている。該提案に係る情報の共有システムでは、カーナビが、新鮮さを要求される外部情報を取得する場合にのみ、携帯電話機端末を介して比較的通信コストの高い無線通信回線（即ち、公衆無線通信回線）を使用するようにして、通信コストの低減を図っている（例えば特許文献１参照）。
【０００３】
また、従来、ディジタル放送受信機とその外部機器において、アップデート用プログラムを外部機器へと転送可能な構成のディジタル放送受信機、及び外部機器に保存されるプログラムをアップデートする方法に係わる技術が提案されている。該提案では、受信したディジタル放送信号から抽出した付加情報に含まれる外部機器用のプログラムのバージョンが、外部機器情報のバージョンよりも新しいとき、外部機器に搭載されるプログラムのプログラムコードを不揮発性メモリに保存する。そして、該プログラムコードを外部機器接続端子を介して外部機器へ転送するようになっている（例えば特許文献２参照）。
【０００４】
【特許文献１】特開２００３−３４４０５５号公報
【特許文献２】特開２００５−２１０１８３号公報
【発明の開示】
【発明が解決しようとする課題】
【０００５】
上述した特許文献１、及び特許文献２に夫々開示される技術が提案されるに至った経緯は、次のようである。
【０００６】
近年、車載端末（即ち、カーナビ）を、通信ネットワークを通じてサーバに接続し、最新の地図データをサーバからカーナビに配信（ダウンロード）するサービスが行われている。また、個々のドライバに対し高精度の渋滞情報を提供するサービスも行われている。該サービスは、多数のカーナビを、通信ネットワークを通じてサーバに接続し、各々のカーナビからそれらが搭載されている各々の車輌の走行履歴等のプローブデータをサーバへ送信し、サーバ側で、それらのデータを集約し解析することにより得られた処理結果をサーバから各々のカーナビへ送信することで実現される。
【０００７】
カーナビからドライバに提供されるサービスの高度化を促進するには、上記のように、個々のカーナビとサーバとを通信ネットワークを通じて接続して、各カーナビとサーバとの間の連携を図ることが必要になるのみならず、カーナビ自身の構成の複雑化も避けられない。そのため、近年では、メーカーから出荷された後のカーナビに対し各種ソフトウェアの更新（機能追加やバグ修正）を行うのが一般的になっており、カーナビのソフトウェア更新に際しては、通常、ユーザによるカーナビのメーカーへの持ち込み、又はメーカー側からユーザ側への保守員の派遣によって対処されている。
【０００８】
しかし、ユーザによるカーナビのメーカーへの持ち込みは、ユーザにとって負担になるという問題が生じるし、メーカー側からユーザ側への保守員の派遣は、メーカーにとって人件費が嵩むという問題が生じる。そこで、通信ネットワーク経由で、メーカー側のサ−バから個々のユーザのカーナビに対し、ソフトウェア更新データを配信し、各々のユーザが配信されたソフトウェア更新データを用いて各カーナビ上でソフトウェアの更新を行うようにする方法が検討されている。
【０００９】
言うまでも無く、カーナビは搭載された車輌と共に移動するものであるから、カーナビと通信ネットワークとを接続するための技術的な手段として、例えば携帯電話機端末等の移動体通信機器の介在が必須不可欠である。しかし、移動体通信機器を利用すると、通信費用が掛かるため、たとえ、メーカー側のサーバから配信されるソフトウェア更新データが無料であったとしても、ユーザは通信費用を負担しなければならなくなる。しかも、上記通信費用が、宅内に備えられる固定端末で利用可能なブロードバンド接続の通信費用と比較して高額な場合には、ユーザの費用負担もより重くなるので、上記方法を利用するユーザの数はさほど多くないのが実状である。
【００１０】
そこで、上記に鑑みて提案されたのが、特許文献１に開示される技術（情報を共有するシステム）である。
【００１１】
しかし、特許文献１に開示されている技術では、データ転送のための操作（データの選択、ダウンロード、アップロード）をユーザが明示的に行う必要があるので、この煩わしさのため、ユーザがデータ転送の実施を怠り、該技術が有効に利用されない場合があり得る。また、上記システムでは、媒介機器の空きメモリ領域よりもサイズが大きいデータは転送することができない。そのため、データを分割して、データ転送処理を複数回行う方法が想到されるが、この方法は、ユーザの煩わしさを増大させるため、データの転送が一層行われなくなるという問題がある。
【００１２】
また、近年では、ディジタル放送受信機を内蔵した構成のカーナビや、ディジタル放送受信機が所謂外付けで接続される構成のカーナビが市販されている。このようなディジタル放送受信機能を具備したカーナビにおいて、既にディジタル放送の技術分野において実用化されているソフトウェアの更新方法を参考にしたソフトウェア更新方法が検討されている。
【００１３】
ディジタル放送の技術分野では、通常の番組情報（コンテンツ）の放送に加えて、種々のデータを放送することが可能であるので、このデータ放送を利用して個々のディジタル放送受信機（テレビジョン受信機やHDDレコーダ等）に対するソフトウェア更新データの配信が行われる。この方法は、比較的効率が良いので、ディジタル放送の受信機能を備えたカーナビが採用されている場合には、上記データ放送を利用したカーナビでのソフトウェア更新方法が想到され得る。
【００１４】
カーナビがディジタル放送により配信されるデータの受信を完了するには、目的とするデータの放送予定日時に一定時間、放送電波の受信状況の良好なエリアにおいて、カーナビが放送電波を受信する必要がある。しかし、カーナビが動作するのは、ユーザが車輌を利用している（走行させている）期間に限定されるし、上記（目的とするデータの）放送時間に、車輌が、放送電波の受信状況が悪い場所（例えばトンネル内や、ビルの谷間や、地下駐車場等）に位置している可能性もある。
【００１５】
そこで、上記に鑑みて提案されたのが、特許文献２に開示される技術（ディジタル放送受信機、及びプログラムのアップデート方法）である。
【００１６】
しかし、特許文献２に開示されている技術では、アップデート用プログラムの配信対象である機器と、ディジタル放送受信機とを直接接続する必要がある。そのため、例えば複数の機器が同一の室内に存在する場合等のように、機器同士が近接している環境に置かれ
ていなければ、上記技術の利用は困難であるので、宅内にあるディジタル放送受信機（テレビジョン受信機）から、車輌内のカーナビへデータ配信を行うことは困難である。
【００１７】
ここで、特許文献１に開示されている技術と、特許文献２に開示されている技術との組み合わせにより対処することも想到され得るが、ユーザの操作が煩雑であるという問題は、依然として残る。
【００１８】
従って本発明の目的は、複数の機器同士の間でのデータ転送において、直接データを転送することが困難な場合であっても、低コストで、且つ、手数を掛けずに容易にデータ転送が行えるようにすることにある。
【００１９】
また、本発明の他の目的は、複数の機器同士の間でのデータ転送において、セキュリティが充分に確保された状態でデータ転送が行えるようにすることにある。
【課題を解決するための手段】
【００２０】
本発明に従うデータ転送システムは、各々が無線通信機能を有する複数の機器同士の間で、無線通信機能を有する媒介機器を通じて互いに必要とするデータの授受を行うもので、上記媒介機器が、上記複数の機器の何れかとの間で無線通信によるデータの授受が可能な環境に置かれた場合に、上記複数の機器の１つである送信元機器から無線送信されたデータを受信し、その受信したデータが上記複数の機器の別の１つである受信側機器にとって必要なものであれば、そのデータを入力するデータ入力部と、上記データ入力部により入力されるデータを保持するデータ保持部と、上記受信側機器との間で無線通信によるデータの授受が可能な環境に置かれた場合に、上記データ保持部に保持されているデータを、上記受信側機器へ無線送信するデータ送信部と、を備える。
【００２１】
本発明に係る好適な実施形態では、上記送信元機器が、上記データ保持部の記憶容量よりも大きい量のデータを無線送信する場合に、そのデータを少なくとも上記データ保持部の記憶容量と同程度の大きさに分割してから無線送信するようにしている。
【００２２】
上記とは別の実施形態では、上記媒介機器と上記複数の機器の何れかとの間のデータ授受が終了する以前に、上記媒介機器と上記機器との間の無線通信が切断された場合には、一旦そのデータ授受が終了したものと判断し、上記媒介機器と上記機器との間の無線通信が再開された時点で、残りのデータの授受を行うようにする処理部、を上記媒介機器、又は上記複数の機器の各々に備えるようにしている。
【００２３】
また、上記とは別の実施形態では、上記媒介機器が、上記データ保持部の記憶容量が、上記媒介機器が本来の機能を発揮するのに不足しているかどうかチェックし、そのチェックの結果、不足していると判断した場合には、上記データ保持部に保持されているデータを消去するデータ消去部、を更に備える。
【００２４】
また、上記とは別の実施形態では、上記媒介機器が、上記各々の機器が互いにデータの授受を行っても差し支えのない正当な機器であるかどうか判別する機器判別部と、上記機器判別部が正当でないと判別した機器からのデータ受信、又はその機器へのデータ送信を禁止するデータ送／受信禁止部と、を更に備える。
【００２５】
更に、上記とは別の実施形態では、上記各々の機器、及び上記媒介機器の有する無線通信機能が、短距離無線通信（bluetooth）（登録商標）機能である。
【発明の効果】
【００２６】
本発明によれば、複数の機器同士の間でのデータ転送において、直接データを転送することが困難な場合であっても、低コストで、且つ、手数を掛けずに容易にデータ転送が行えるようにすることができる。
【００２７】
また、本発明によれば、複数の機器同士の間でのデータ転送において、セキュリティが充分に確保された状態でデータ転送が行えるようにすることができる。
【発明を実施するための最良の形態】
【００２８】
以下、本発明の実施の形態を、図面により詳細に説明する。
【００２９】
図１は、本発明の一実施形態に係るデータ転送システムの全体構成を示す機能ブロック図である。
【００３０】
上記転送システムは、図１に示すように、車輌１に搭載されるカーナビ３と、ディジタル放送によるデータ送信系統（以下、「ディジタル放送系統」と表記する。）５と、ネットワーク通信によるデータ送信系統（以下、「ネットワーク通信系統」と表記する。）７と、携帯電話機等の携帯端末９と、を備える。
【００３１】
ディジタル放送系統５は、放送局に設置されるサーバ（以下、「放送局サーバ」と表記する。）１１と、上記放送局に設置されるディジタル放送送信機１３と、例えば上記カーナビ３を所有するユーザの居間１５等に設置されるディジタルTV（Television）放送受信機１７と、を含む。放送局サーバ１１からディジタル放送送信機１３に出力された各種データは、所定の放送回線を通じてディジタルTV放送受信機１７へ送信される。本実施形態においては、ディジタルTV放送受信機１７には、所謂短距離無線通信（免許の不要な微弱電波を使った、１対１方式（Point to Point）、１対多方式（Point to Multi-Point）の近距離無線音声／データ通信規格。例えばBluetooth。以下、同じ）機能が備えられているものとする。ディジタルTV放送受信機１７の短距離無線通信機能については、図２で詳述する。
【００３２】
ネットワーク通信系統７は、例えばメーカー等のサービスセンタに設置されるサーバ（以下、「サービスセンタサーバ」と表記する。）１９と、例えば上記カーナビ３を所有するユーザの書斎２１等に設置されるPC（Personal
Computer）機器２３と、を含む。サービスセンタサーバ１９とPC機器２３との間は、例えばインターネット等の通信ネットワーク２５を通じて接続され、サービスセンタサーバ１９からPC機器２３に対し、各種データが通信ネットワーク２５を通じて転送（ダウンロード）される。本実施形態においては、PC機器２３にも、ディジタルTV放送受信機１７におけると同様の短距離無線通信機能が備えられているものとする。PC機器２３の短距離無線通信機能についても、図２で詳述する。
【００３３】
携帯端末９は、カーナビ３に対し、各種データを転送する際に使用することができる移動体通信機器であり、ディジタルTV放送受信機１７、又はPC機器２３からカーナビ３へのデータ転送を媒介するための機器である。携帯端末９は、例えばその所有者であるユーザが車輌１内にいることで、カーナビ３と短距離無線通信が可能なエリア内に存在しており、且つ、該カーナビ３が相手方機器として接続が認められている機器である場合には、カーナビ３との間での通信路を確立する。そして、カーナビ３との間でデータの授受を実行すると共に、カーナビ３から受信したデータについては、一時的に保存する。
【００３４】
携帯端末９は、上記ユーザに携帯された状態で上記ユーザが車輌１から降りて自宅の居間１５へ入ったことで、ディジタルTV放送受信機１７と短距離無線通信が可能なエリア内に存在している場合には、ディジタルTV放送受信機１７との間での通信路を確立する。該ディジタルTV放送受信機１７が携帯端末９の相手方機器として接続が認められる機器かどうかをチェックし、その結果、接続が認められる機器であると判別された場合に、携帯端末９による通信路の確立を行うようにすることも可能である。
【００３５】
そして、通信路が確立されることにより、携帯端末９は、ディジタルTV放送受信機１７との間でデータの授受を実行すると共に、ディジタルTV放送受信機１７から受信したデータについては、一時的に保存する。携帯端末９が一時的に保存したディジタルTV放送受信機１７からのデータについては、携帯端末９がユーザの車輌１内への移動によって上記カーナビ３との短距離無線通信が可能なエリアに入った場合に、携帯端末９からカーナビ３へと転送される。これにより、ディジタルTV放送受信機１７からカーナビ３へのデータ転送が実現される。
【００３６】
上記ユーザが携帯端末９を携帯した状態で車輌１から降りて自宅の書斎２１へ入ったことで、携帯端末９がPC機器２３と短距離無線通信が可能なエリア内に存在するようになった場合にも、携帯端末９とPC機器２３との間で上記と同様の処理動作が行われ、その後、携帯端末９がユーザの車輌１内への移動によって上記カーナビ３との短距離無線通信が可能なエリアに入った場合にも、携帯端末９とカーナビ３との間で上記と同様の処理動作が行われる。携帯端末９の短距離無線通信機能についても、図２で詳述する。
【００３７】
図２は、図１に記載のデータ転送システムに含まれる各部の内部構成の機能ブロック図である。
【００３８】
図２において、携帯端末９は、データ格納部２７と、短距離無線通信部２９と、制御部３１と、を備える。データ格納部２７には、機器管理表３３と、データ転送管理表３５と、データ３７と、が格納される。データ格納部２７は、制御部３１からのデ−タ読出要求に応じて、該データ読出要求に対応するデータ（機器管理表３３、データ転送管理表３５、データ３７の何れか）を、制御部３１に出力する。また、データ格納部２７の所定記憶エリアには、制御部３１によって各種データが書き込まれる。
【００３９】
短距離無線通信部２９は、制御部３１の制御下で、制御部３１によってデータ格納部２７から読出されたデータを、携帯端末９から所定距離範囲内に存在する（情報処理機能、及び短距離無線通信機能を備える）機器、即ち、カーナビ３、ディジタルTV放送受信機１７、PC機器２３のうちの何れかの機器へ無線送信すると共に、これら機器から無線送信される各種データを受信する。
【００４０】
制御部３１は、データ格納部２７、及び短距離無線通信部２９をその制御下に置き、所定の演算処理動作を行うもので、データ格納部２７からデータを読出し、短距離無線通信部２９を通じて無線送信すると共に、短距離無線通信部２９が受信したデータを読込み、所定の処理を実行した後、データ格納部２７に格納する。制御部３１には、例えばCPUが用いられる。
【００４１】
カーナビ３も、携帯端末９と同様、データ格納部３９と、短距離無線通信部４１と、制御部４３と、を備える。データ格納部３９には、携帯端末９のデータ格納部２７に格納される機器管理表３３、データ転送管理表３５、及びデータ３７と夫々同一のデータ構造を有する機器管理表４５、データ転送管理表４７、及びデータ４９、が格納される。なお、短距離無線通信部４１は、携帯端末９の短距離無線通信部２９と、制御部４３は、携帯端末９の制御部３１と、夫々の構成及び機能が略同一であるので、それらの詳細な説明を省略する。
【００４２】
ディジタルTV放送受信機１７は、データ格納部５１と、ディジタル放送受信部５３と、短距離無線通信部５５と、制御部５７と、を備える。データ格納部５１には、上述した機器管理表３３、４５、データ転送管理表３５、４７、及びデータ３７、４９と夫々同一のデータ構造を有する機器管理表５９、データ転送管理表６１、及びデータ６３、が格納される。ディジタル放送受信部５３は、制御部５７の制御下で、放送局サーバ１１からディジタル放送送信機１３に出力され、ディジタル放送送信機１３から所定の放送回線を通じて送信される各種データを受信すると共に、該受信した各種データを制御部５７へ出力する。なお、短距離無線通信部５５は、上記各短距離無線通信部２９、４１と、制御部５７は、上記各制御部３１、４３と、夫々の構成及び機能が略同一であるので、それらの詳細な説明を省略する。
【００４３】
PC機器２３は、データ格納部６５と、ネットワーク通信部６７と、短距離無線通信部６９と、制御部７１と、を備える。データ格納部６５には、上述した機器管理表３３、４５、５９、データ転送管理表３５、４７、６１、及びデータ３７、４９、６３と夫々同一のデータ構造を有する機器管理表７３、データ転送管理表７５、及びデータ７７、が格納される。ネットワーク通信部６７は、制御部７１の制御下で、サービスセンタサーバ１９から通信ネットワーク２５を通じて転送（ダウンロード）される各種データを受信すると共に、該受信した各種データを制御部７１へ出力する。なお、短距離無線通信部６９は、上記各短距離無線通信部２９、４１、５５と、制御部７１は、上記各制御部３１、４３、５７と、夫々の構成及び機能が略同一であるので、それらの詳細な説明を省略する。
【００４４】
図３は、図２に記載の（携帯端末９の）データ格納部２７が格納する機器管理表３３のデータ構造を示す説明図である。
【００４５】
機器管理表３３は、携帯端末９が短距離無線通信によるデータの授受を直接的に行うことが可能な機器であって、データの授受を行うことが（ユーザによって）認められた機器類に係わる情報を管理するためのデータである。機器管理表３３には、携帯端末９が過去に遭遇し、ユーザによって短距離無線通信によるデータの授受を認められた機器に係わるデータが、時系列的に（履歴データとして）登録される。携帯端末９が新たに遭遇した機器類に係わるデータの、機器管理表３３への登録は、例えば、携帯端末９の表示部（図示しない）、或いは音声出力部（図示しない）を通じてユーザに報知される登録許可を求めるメッセージに対し、ユーザが携帯端末９の操作部（図示しない）を通じて「OK」の応答を入力することにより、制御部３１によって実行される。携帯端末９が媒介する短距離無線通信によるデータ授受の相手方機器を、機器管理表３３に登録されている機器類のみに限定することにより、図１で示したデータ転送システムにおけるデーラ転送に際してのセキュリティの向上を図ることが可能になる。
【００４６】
図３に示すように、機器管理表３３には、機器ID登録エリア７９、種別登録エリア８１、提供サービス登録エリア８３、及び媒介機器ID登録エリア８５が、夫々設定されている。図３に示す例では、機器ID登録エリア７９には、携帯端末９が短距離無線通信によるデータの授受を直接的に行える各々の機器類に対し付与された機器IDとして、「２」、「３」、「４」が登録されている。種別登録エリア８１には、上記各々の機器類の種別として、例えば図３に示した例では、「車載端末（即ち、カーナビ３）」、「ディジタルTV放送受信機１７」、及び「PC機器２３」が登録されている。本実施形態では、機器IDとして、カーナビ３に「２」が、ディジタルTV放送受信機１７に「３」が、PC機器２３に「４」が、夫々付与されている。よって、種別登録エリア８１における機器ID「２」に対応する欄に、カーナビ３が、機器ID「３」に対応する欄に、ディジタルTV放送受信機１７が、機器ID「４」に対応する欄に、PC機器２３が、夫々登録される。
【００４７】
提供サービス登録エリア８３には、機器管理表３３に登録されている各機器から、携帯端末９に対して提供されるサービス内容に係わる情報が登録される。図３に示した例では、カーナビ３から携帯端末９に提供されるサービスとして、ポイント（車輌１の現在位置情報の）登録が、ディジタルTV放送受信機１７から携帯端末９に提供されるサービスとして、ディジタル放送経由のデータ受信が、夫々登録される。更に、PC機器２３から携帯端末９に提供されるサービスとして、ネットワーク経由のデータ送／受信が、夫々登録される。
【００４８】
媒介機器ID登録エリア８５には、機器管理表３３に登録される各機器が、媒介機器を介在させなければ携帯端末９がデータの授受が行えない機器類かどうかを示すデータが登録される。本実施形態では、カーナビ３、ディジタルTV放送受信機１７、及びPC機器２３の何れも、携帯端末９が短距離無線通信により直接データの授受が行える機器である。よって、媒介機器ID登録エリア８５の上記各機器（カーナビ３、ディジタルTV放送受信機１７、PC機器２３）に対応する欄には、何れも媒介機器のIDは登録されておらず、「−」となっている。
【００４９】
図４は、図２に記載の（カーナビ３の）データ格納部３９が格納する機器管理表４５のデータ構造を示す説明図である。
【００５０】
図３で示した機器管理表３３と同様、機器管理表４５は、カーナビ３が短距離無線通信によるデータの授受を直接的に行うことが可能な機器であって、データの授受を行うことが認められている機器類に係わる情報を管理するためのデータである。機器管理表４５には、カーナビ３が過去に遭遇し、短距離無線通信によるデータの授受を行った機器に係わるデータが、時系列的に（履歴データとして）登録される。換言すれば、カーナビ３が、短距離無線通信によるデータの授受を行える（相手方）機器の存在を検知した時点で、該（相手方）機器に係わるデータが、カーナビ３の制御部４３により機器管理表４５に登録される。以下に説明するように、図４は、カーナビ３が短距離通信によるデータの授受を行う（相手方）機器として、最初に携帯端末９を検知した時点での機器管理表４５のデータ登録内容を示している。
【００５１】
図４に示すように、機器管理表４５にも、図３で示した機器管理表３３におけると同様に、機器ID登録エリア８７、種別登録エリア８９、提供サービス登録エリア９１、及び媒介機器ID登録エリア９３が、夫々設定されている。
【００５２】
図４において、機器ID登録エリア８７には、カーナビ３が短距離無線通信によるデータの授受を直接的に行える機器類に対し付与された機器IDとして、「１」が登録されている。種別登録エリア８９には、上記機器類の種別として、「携帯端末９」が登録されている。本実施形態では、機器IDとして、携帯端末９に「１」が、付与されている。よって、種別登録エリア８９には、機器IDとして「１」を付与された携帯端末９が登録されることになる。
【００５３】
提供サービス登録エリア９１には、機器管理表４５に登録されている機器から、カーナビ３に対して提供されるサービス内容に係わる情報が登録される。図４に示した例では、携帯端末９からカーナビ３に提供されるサービスとして、データ転送媒介が、登録されている。
【００５４】
媒介機器ID登録エリア９３には、機器管理表４５に登録されている機器が、媒介機器を介在させなければ（相手方）機器との間でデータの授受が行えない機器類かどうかを示すデータが登録される。本実施形態では、携帯端末９は、カーナビ３に対し短距離無線通信により直接データの授受が行える機器であるだけでなく、カーナビ３と、カーナビ３がデータ授受を所望する（相手方）機器との間の媒介機器としての機能を持つ機器である。よって、媒介機器ID登録エリア９３には、媒介機器のIDは登録されておらず、「−」となっている。
【００５５】
図５も、図４と同様に、図２に記載の（カーナビ３の）データ格納部３９が格納する機器管理表４５のデータ構造を示す説明図である。
【００５６】
図５は、カーナビ３が、携帯端末９との間で短距離無線通信によるデータ授受を行うための通信路を確立した後の機器管理表４５に登録されるデータの変遷を示している。即ち、カーナビ３と携帯端末９との間の短距離無線通信が可能になった時点で、携帯端末９を媒介機器とするデータ授受の（相手方）機器であるディジタルTV放送受信機１７、及びPC機器２３に係わるデータが、カーナビ３の制御部４３により機器管理表４５に登録される。
【００５７】
機器ID登録エリア９５には、携帯端末９の機器IDである「１」に加えて、ディジタルTV放送受信機１７の機器IDである「３」、及びPC機器２３の機器IDである「４」が登録される。また、種別登録エリア９７には、上記機器ID「３」に対応する欄に「ディジタルTV放送受信機１７」が、上記機器ID「４」に対応する欄に「PC機器２３」が、夫々登録される。また、提供サービス登録エリア９９には、ディジタルTV放送受信機１７に対応する欄に「ディジタル放送経由データ受信」が、PC機器２３に対応する欄に「ネットワーク経由データ送／受信」が、夫々登録される。更に、媒介機器ID登録エリア１０１には、「ディジタル放送経由データ受信」に対応する欄、及び「ネットワーク経由データ送／受信」に対応する欄に、夫々（カーナビ３とディジタルTV放送受信機１７、カーナビ３とPC機器２３との間のデータ授受のための）媒介機器である携帯端末９の機器ID「１」が、登録される。
【００５８】
機器管理表４５に示すように、携帯端末９を媒介機器として、カーナビ３のデータがディジタルTV放送受信機１７、又はPC機器２３へ転送され、ディジタルTV放送受信機１７、又はPC機器２３のデータが、カーナビ３へ転送される。
【００５９】
図６は、図２に記載の（携帯端末９の）データ格納部２７が格納するデータ転送管理表３５のデータ構造、及び（カーナビ３の）データ格納部３９が格納するデータ転送管理表４７のデータ構造を示す説明図である。図６（a）は、携帯端末９が、PC機器２３とカーナビ３との間のデータ転送を媒介するに際してのデータ転送管理表３５の登録内容を、また、図６（b）は、携帯端末９との間で短距離無線通信によるデータ授受が行われる直前のデータ転送管理表４７の登録内容を、夫々示す。
【００６０】
データ転送管理表３５は、携帯端末９から他の機器へのデータ転送処理を、また、データ転送管理表４７は、カーナビ３から他の機器へのデータ転送を、夫々管理するためのデータである。図６（a）、（b）に示すように、データ転送管理表３５、４７は、同一のデータ構造を有する。即ち、データ転送管理表３５には、データID登録エリア１０３、送信機器ID登録エリア１０５、及び受信機器ID登録エリア１０７が、データ転送管理表４７には、データID登録エリア１０９、送信機器ID登録エリア１１１、及び受信機器ID登録エリア１１３が、夫々設定されている。
【００６１】
データID登録エリア１０３には、携帯端末９から転送されるデータを一意に特定するための値（データ）であるデータID、図６（a）の例では「D4」が、登録されている。送信機器ID登録エリア１０５には、データID「D4」が付与されたデータの送信元機器のID、図６（a）の例では、PC機器２３に付与された機器ID「４」が登録されている。受信機器ID登録エリア１０７には、携帯端末９を媒介機器としてPC機器２３から送信される（データID「D4」の）データを受信する機器のID、図６（a）の例では、カーナビ３に付与された機器ID「２」が登録されている。
【００６２】
データID登録エリア１０９には、送信元機器から転送されるデータを一意に特定するための値（データ）であるデータIDとして、「D1」、及び「D2」が登録されている。送信機器ID登録エリア１１１には、データID「D1」が付与されたデータの送信元機器のID、即ち、カーナビ３のIDである「２」と、データID「D2」が付与されたデータの送信元機器のID、即ち、カーナビ３のIDである「２」とが、夫々登録されている。受信機器ID登録エリア１１３には、データID「D1」に対応する欄に、「D1」のデータの受信機器であるディジタルTV放送受信機１７のIDである「３」が、また、データID「D2」に対応する欄に、「D1」のデータの受信機器であるPC機器２３のIDである「４」が、夫々登録されている。
【００６３】
図６（a）で示すデータ転送管理表３５の登録内容、及び図６（b）で示すデータ転送管理表４７の登録内容は、携帯端末９を媒介機器として行われるカーナビ３とディジタルTV放送受信機１７、又はPC機器２３との間でデータ授受の状況に応じて変遷する。
【００６４】
図７は、図２に記載の（携帯端末９の）データ格納部２７が格納するデータ転送管理表３５のデータ構造、及び（カーナビ３の）データ格納部３９が格納するデータ転送管理表４７のデータ構造を示す説明図である。図７（a）は、携帯端末９が、媒介機器としてカーナビ３との間の短距離無線通信によるデータ転送が可能になった時点でのデータ転送管理表３５の登録内容を、また、図７（b）は、携帯端末９との間で短距離無線通信によるデータ授受が行われた後のデータ転送管理表４７の登録内容を、夫々示す。
【００６５】
携帯端末９が、媒介機器としてカーナビ３との間の短距離無線通信によるデータ転送が可能になると、図７（a）に示すように、データID登録エリア１１５には、「D1」、及び「D2」が、送信機器ID登録エリア１１７には、「２」、及び「２」が、受信機器ID登録エリア１１９には、「D1」に対応する欄に、「３」が、「D2」に対応する欄に、「４」が、夫々登録されている。
【００６６】
カーナビ３から短距離無線通信により、「D1」、及び「D2」のデータが携帯端末９へ転送されると、カーナビ３の制御部４３は、図６（b）で示したデータID登録エリア１０９の「D1」、及び「D2」、送信機器ID登録エリア１１１の「２」、及び「２」、受信機器ID登録エリア１１３の「３」、及び「４」を、何れも消去する。その結果として、図７（b）で示すように、データ転送管理表４７におけるデータID登録エリア１２１、送信機器ID登録エリア１２３、及び受信機器ID登録エリア１２５は、何れも空欄になる。
【００６７】
図８は、図１に記載のデータ転送システムにおいて、携帯端末９を媒介機器として実行される各機器間でのデータ転送に際しての処理手順を示すフローチャートである。図８に記載のフローチャートは、カーナビ３が、ディジタルTV放送受信機１７が受信したディジタル放送経由のデータを利用する場合の処理手順を示している。
【００６８】
図８において、まず、データ転送処理の対象機器であるカーナビ３と、媒介機器である携帯端末９との間で、短距離無線通信のための通信路が確立されていないかどうか（接続設定が済んでいないかどうか）をチェックする（ステップS１３１）。このチェックの結果、接続設定が済んでいなければ（ステップS１３１でYES）、接続設定の処理を行う（ステップS１３２）。即ち、ユーザは、携帯端末９の操作部を操作して制御部３１を通じて機器設定作業を行い、カーナビ３の機器ID「２」、種別「カーナビ」、提供サービス「ポイント登録」から成るデータを、（携帯端末９のデータ格納部２７に格納されている）機器管理表３３に登録する。上記登録処理に加え、ディジタルTV放送受信機１７と携帯端末９との間、及びPC機器２３と携帯端末９との間における設定処理も完了すると、機器管理表３３の登録内容は、図３で示した状態になる。
【００６９】
ユーザは、カーナビ３に対しても上記と略同様な内容の機器設定作業を行い、媒介機器である携帯端末９の機器ID「１」、種別「携帯端末」、提供サービス「データ転送媒介」から成るエントリを、（カーナビ３のデータ格納部３９に格納されている）機器管理表４５に登録する。上記処理動作が完了すると、機器管理表４５の登録内容は、図４で示した状態になる。次に、携帯端末９を携帯したユーザが、車輌１を利用するために、車輌１内へ移動し、カーナビ３の駆動電源を投入することで、携帯端末９とカーナビ３との間における短距離無線通信によるデータの授受が可能な状況となるため、接続処理が開始される。ここで、携帯端末９とカーナビ３とは、図３（機器管理表３３）、及び図５（機器管理表４５）で示したように、互いが接続許可機器として（ユーザにより）登録済みであるため、携帯端末９とカーナビ３との間の接続（通信路）が確立される（ステップS１３３）。
【００７０】
次に、カーナビ３は、自身の機器管理表４５の更新を実施する。即ち、カーナビ３は、携帯端末９の機器管理表３３を参照し、カーナビ３以外の機器に係わるデータで、未だ機器管理表３３に登録されていないデータを追加登録する。この追加登録されるデータは、携帯端末９を介して間接的にデータの授受が可能な機器である。この追加登録時の機器管理表４５の登録内容は、図５で示した状態になる（ステップS１３４）。次に、カーナビ３は、自身の機器管理表４５の提供サービス登録エリア９１を参照して、ディジタルTV放送受信機１７、又はPC機器２３から提供されるサービスを利用するかどうかを決定する（ステップS１３５）。
【００７１】
この決定が、ディジタルTV放送受信機１７から提供されるサービスである「ディジタル放送経由データ受信」を利用するものであれば（ステップS１３５でYES）、ユーザは、携帯端末９を介してディジタルTV放送受信機１７に対し、上記サービス「ディジタル放送経由データ受信」の利用に必要なデータの転送要求を送信する。即ち、まず、「ディジタル放送経由データ受信」サービスを要求するメッセージデータを生成して、データ格納部３９へ格納する。これが、図２で示した（データ格納部３９における）データ４９になる。次に、このデータ４９を特定するためのIDとして「D1」を割り振ると共に、図２で示した（データ格納部３９における）データ転送管理表４７に、データID「D1」、送信機器ID「２」、及び受信機器ID「３」から成るエントリを追加登録する（ステップS１３６）。
【００７２】
次に、携帯端末９とカーナビ３との間で、短距離無線通信によるデータ転送処理が行われる。このデータ転送処理においては、まず、携帯端末９のデータ転送管理表３５を参照して、受信機器IDが「２」（カーナビ３を示す）であるエントリを選択する。これによりデータ転送管理表３５から抽出されたエントリのデータID登録エリア１１５において指定されるデータ３７を、カーナビ３のデータ格納部３９へ移動する。これが、図２で示した（データ格納部３９における）データ４９になる。このデータ転送が完了すると、該エントリを（携帯端末９の）データ転送管理表３５から削除する処理が実行される。
【００７３】
次に、カーナビ３のデータ転送管理表４７を参照して、受信機器IDが「３」（ディジタルTV放送受信機１７を示す）、「４」（PC機器２３を示す）であるエントリを選択する。これらの受信機器は、携帯端末９を介してカーナビ３との間でデータの授受が可能な機器である。よって、機器管理表４７の媒介機器ID登録エリア１０１のディジタルTV放送受信機１７、及びPC機器２３に夫々対応する欄には、「１」が登録されることになる。これによりデータ転送管理表４７から抽出されたエントリのデータID登録エリア１０９において指定されるデータ４９を、カーナビ３のデータ格納部３９へ移動する。これが、図２で示した（データ格納部２７における）データ３７になる。このデータ転送が完了すると、該エントリを（カーナビ３の）データ転送管理表４７から削除する処理が実行される（ステップS１３７）。
【００７４】
例えば、図６で示したデータ転送管理表３５、及びデータ転送管理表４７の状態において、上述した（ステップS１３７で示した）処理を行うと、データ転送管理表３５、４７は図７に示した状態に遷移する。
【００７５】
次に、携帯端末９を携帯するユーザが、車輌１内から出ることで、携帯端末９とカーナビ３との間で確立していた短距離無線通信のための接続（通信路）が切断される。これにより、ステップS１３１で示した処理動作に復帰する（ステップS１３８）。その後、携帯端末９を携帯したユーザが、居間１５内へ移動し、携帯端末９とディジタルTV放送受信機１７との間で短距離無線通信のための接続（通信路）が確立することで、携帯端末９を媒介機器とするカーナビ３とディジタルTV放送受信機１７との間におけるデータ転送が完了する。
【００７６】
即ち、カーナビ３からディジタルTV放送受信機１７に対し、「ディジタル放送経由データ受信」のサービスを利用する旨のメッセージ（データ）が送信される。これにより、ディジタルTV放送受信機１７は、ディジタル放送送信機１３を通じて放送局サーバ１１から放送されるカーナビ３向けのソフトウェア更新データを、ディジタル放送受信部５３により受信する。受信されたソフトウェア更新データは、（ディジタルTV放送受信機１７の）データ格納部５１に格納される（データ６３になる）。次に、これをカーナビ３へ転送するための処理が実行される。即ち、（ディジタルTV放送受信機１７の）データ転送管理表６１に、上記ソフトウェア更新データ（６３）をカーナビ３へ転送する旨を示すエントリを追加する。
【００７７】
上述した実施形態では、携帯端末９とカーナビ３との間、携帯端末９とディジタルTV放送受信機１７、又はPC機器２３との間のデータ授受を、短距離無線通信によって行うこととしたが、短距離無線通信以外の技術的手法によってデータ授受を行うようにしても差し支えない。また、上記実施形態では、カーナビ３とディジタルTV放送受信機１７との間、又はカーナビ３とPC機器２３との間のデータ授受を媒介する機器として、携帯端末９を用いることとしたが、携帯端末９に代えて、例えばメモリーカードを用いることとしても差し支えない。
【００７８】
メモリーカードを媒介機器として使用し、HDDレコーダ内の動画データを、メモリーカードを介してカーナビ３に転送する作業をユーザが行う場合には、ユーザが、HDDレコーダにメモリーカードを挿入する。そして、ユーザの操作による動画データのメモリーカードへの転送が済んだ後で、該メモリーカードの空き記憶エリアに、上記機器間において転送したいその他のデータを転送する処理を行う。その後、メモリーカードがカーナビ３に挿入され、ユーザの操作により動画データの該メモリーカードからカーナビ３への転送が完了すると、上記その他のデータの転送処理も行う。以上の処理手順により、ユーザに意識させることなく、機器間のデータ転送が実行される。
【００７９】
上述した本発明の一実施形態では、機器（カーナビ３とディジタルTV放送受信機１７、又はPC機器２３）間で行われるデータ転送処理（ステップS１３７）を、必要最低限の単純なものとした。しかし、以下に説明する本発明の他の実施形態では、ユーザの利便性を向上させるため、機器間で行われるデータ転送の結果を、データ送信元の機器へ通知する処理と、媒介機器である携帯端末９において、転送中のデータを喪失した場合に対処するための処理と、媒介機器である携帯端末９の空いているメモリ容量の不足、及び携帯端末９とカーナビ３、ディジタルTV放送受信機１７、又はPC機器２３との間のデータ転送中における接続「断」に対処するための処理と、が実行される。
【００８０】
図９は、本発明の他の実施形態に係る携帯端末９のデータ格納部２７に格納されるデータ転送管理表のデータ構造を示す説明図である。
【００８１】
本実施形態では、図９に示すように、データ転送管理表１４１に、データサイズ登録エリア１４３と、状態登録エリア１４５とが付加されている点において、図６（a）で示したデータ転送管理表３５と相違する。その他の点については、図６（a）で示したものと同一であるので、図９において、図６（a）で示した物と同一物には、同一符号を付してそれらの詳細な説明を省略する。
【００８２】
図９において、データサイズ登録エリア１４３には、データID登録エリア１０３にデータIDが登録されている各データ「D1」、「D2」、「D3」、及び「D4」のデータサイズ（図９に示した例では、何れも「１００」）が登録されている。また、状態登録エリア１４５には、各データ「D1」、「D2」、「D3」、及び「D4」の状態（データD1は、「転送中」、データD2は、「１〜５０バイトが転送中」、データD3は、「１〜３０バイトが転送済み」、データD4は、転送済み）が、夫々登録されている。
【００８３】
なお、カーナビ３、ディジタルTV放送受信機１７、及びPC機器２３が夫々格納するデータ転送管理表４７、６１、７５についても、データサイズ登録エリア、及び状態登録エリアが付加されているものとする。
【００８４】
図１０、図１１、及び図１２は、本発明の他の実施形態において、カーナビ３から携帯端末９を介してディジタルTV放送受信機１７へデータが転送されるに際しての上記各機器に格納されるデータ転送管理表の状態遷移を時系列で示す説明図である。
【００８５】
図１０は、カーナビ３から携帯端末９を介して行われたディジタルTV放送受信機１７へのデータ転送が成功した場合に、該データ転送が成功した旨をデータ送信元機器である携帯端末９へ通知するに際しての処理流れを示す。以下、時間の流れに沿って説明する。まず、カーナビ３においてディジタルTV放送受信機１７へのデータ転送のための処理動作が開始される。この時点でのデータ転送の状態は、「転送中」となる。次に、カーナビ３と携帯端末９との間において短距離無線通信による接続が確立することにより、両機器間でデータ転送が行われる。
【００８６】
携帯端末９を携帯したユーザがカーナビ３から離間することで、携帯端末９とカーナビ３との間の距離が所定値を超えると、カーナビ３と携帯端末９との間の短距離無線通信による接続が切れる。次に、ユーザが居間１５へ入ることで、携帯端末９とディジタルTV放受信機１７との間の距離が所定値以下になることで、携帯端末９とディジタルTV放送受信機１７との間の短距離無線通信による接続が確立する。そして、携帯端末９からディジタルTV放送受信機１７へのデータ転送が実行される。これにより、データ転送の状態は、「転送済み」となる。携帯端末９を携帯したユーザがディジタルTV放送受信機１７から離間することで、携帯端末９とディジタルTV放送受信機１７との間の距離が所定値を超えると、ディジタルTV放送受信機１７と携帯端末９との間の短距離無線通信による接続が切れる。携帯端末９を携帯したユーザが、再び車輌１に乗り込み、携帯端末９とカーナビ３との間の距離が所定値以下になることで、携帯端末９とカーナビ３との間の短距離無線通信による接続が再度確立する。これにより、携帯端末９からカーナビ３に対し、データ転送の状態が「転送済み」である旨の情報が転送される。
【００８７】
図１１は、カーナビ３から携帯端末９を介してディジタルTV放送受信機１７へデータ転送を行う途中で、携帯端末９において転送データが喪失した場合における処理流れを示す。以下、時間の流れに沿って説明する。まず、カーナビ３において、ディジタルTV放送受信機１７へのデータ転送のための処理動作が開始される。この時点でのデータ転送の状態は、「転送中」となる。次に、カーナビ３と携帯端末９との間において短距離無線通信による接続が確立することにより、両機器間でデータ転送が行われる。
【００８８】
携帯端末９を携帯したユーザがカーナビ３から離間することで、携帯端末９とカーナビ３との間の距離が所定値を超えると、カーナビ３と携帯端末９との間の短距離無線通信による接続が切れる。この状態で、携帯端末９がカーナビ３から転送されたデータを喪失すると、ユーザの移動に伴って携帯端末９が再度カーナビ３に接近したことで、カーナビ３との間で短距離無線通信による接続が確立した時点で、携帯端末９はカーナビ３から上記喪失したのと同一データを受信する。これ以降の処理流れは、図１０における処理流れと同様である。
【００８９】
携帯端末９において、カーナビ３からの転送データの喪失が生じる原因としては、例えばユーザが携帯端末９を操作してメモリの空いているエリアを、メールや写真等のデータの保存により消費し、その結果、メモリの記憶容量が不足したような場合が想到される。このような場合、携帯端末９は、機器間（カーナビ３とディジタルTV放送受信機１７、又はＰＣ機器２３との間）において行われるデータ転送に係わるデータを捨てて、メモリの空いているエリアを拡張することにより、携帯端末９が本来備える機能の発揮を妨げないようにする。
【００９０】
図１２は、カーナビ３から携帯端末９を介してディジタルTV放送受信機１７に対し、データ転送を行う場合に、携帯端末９のデータ格納部２７の空き記憶容量が不足していたり、カーナビ３と携帯端末９との間、或いは携帯端末９とディジタルTV放送受信機１７との間の短距離無線通信によるデータの転送中に接続が切れたりした場合における処理流れを示す。以下、時間の流れに沿って説明する。
【００９１】
まず、カーナビ３において、ディジタルTV放送受信機１７へのデータ転送のための処理動作が開始される。この時点でのデータ転送の状態は、「転送中」となる。次に、カーナビ３と携帯端末９との間において短距離無線通信による接続が確立することにより、両機器間でデータ転送が行われる。しかし、本実施形態では、携帯端末９のデータ格納部２７の空き記憶容量が、転送されるデータのサイズ（１００バイト）に満たないため、カーナビ３側では上記データを分割して、その一部（例えば５０バイト）のみを携帯端末９へ転送する。この時点でのデータ転送の状態は「転送済み（１〜５０バイト）」となる。
【００９２】
携帯端末９を携帯したユーザがカーナビ３から離間することで、携帯端末９とカーナビ３との間の距離が所定値を超えると、カーナビ３と携帯端末９との間の短距離無線通信による接続が切れる。次に、ユーザが居間１５へ入ることで、携帯端末９とディジタルTV放受信機１７との間の距離が所定値以下になることで、携帯端末９とディジタルTV放送受信機１７との間の短距離無線通信による接続が確立する。そして、携帯端末９からディジタルTV放送受信機１７へのデータ転送が実行される。しかし、例えばユーザが居間１５から移動することにより、携帯端末９からディジタルTV放送受信機１７への上記データの転送が完了する前に、上記短距離無線通信による接続が切れると（３０バイト分のデータのみ転送できたものとすると）、この時点でのデータ転送の状態は「転送済み（１〜３０バイト）」となる。
【００９３】
次に、携帯端末９を携帯したユーザが、再び車輌１に乗り込み、携帯端末９とカーナビ３との間の距離が所定値以下になることで、携帯端末９とカーナビ３との間の短距離無線通信による接続が再度確立する。これにより、携帯端末９からカーナビ３に対し、データ転送の状態が「転送済み（１〜３０バイト）」である旨の情報が転送される。これ以降、分割され、未だ転送されていない残りのデータの部分を転送するための処理が実行される。
【００９４】
携帯端末９とカーナビ３との間において、データ転送中に両機器間に接続断が生じる原因としては、例えばユーザが携帯端末９を持ち去ったり、或いは携帯端末９又はディジタルTV放送受信機１７の電源をOFFにしたりした場合が想到される。
【００９５】
上述した機器間におけるデータ転送の処理中は、携帯端末９の移動や、携帯端末９の電源OFFを禁止する方法も想到され得るが、このような対処方法では、ユーザの自由な行動を規制し、ユーザに不便を強要することになるため、上記のような処理方法で対処することにした。
【００９６】
以上、本発明の好適な実施形態を説明したが、これらは本発明の説明のための例示であって、本発明の範囲をこれらの実施形態にのみ限定する趣旨ではない。本発明は、他の種々の形態でも実施することが可能である。
【図面の簡単な説明】
【００９７】
【図１】本発明の一実施形態に係るデータ転送システムの全体構成を示す機能ブロック図。
【図２】図１に記載したデータ転送システムに含まれる各部の内部構成の機能ブロック図。
【図３】図２に記載した携帯端末のデータ格納部が格納する機器管理表のデータ構造を示す説明図。
【図４】図２に記載したカーナビのデータ格納部が格納する機器管理表のデータ構造を示す説明図。
【図５】図２に記載したカーナビのデータ格納部が格納する機器管理表のデータ構造を示す別の説明図。
【図６】図２に記載した携帯端末のデータ格納部が格納するデータ転送管理表のデータ構造、及びカーナビのデータ格納部が格納するデータ転送管理表のデータ構造を示す説明図。
【図７】図２に記載した携帯端末のデータ格納部が格納するデータ転送管理表のデータ構造、及びカーナビのデータ格納部が格納するデータ転送管理表のデータ構造を示す説明図。
【図８】図１に記載したデータ転送システムにおいて、携帯端末を媒介機器として実行される各機器間でのデータ転送に際しての処理手順を示すフローチャート。
【図９】本発明の他の実施形態に係る携帯端末９のデータ格納部２７に格納されるデータ転送管理表のデータ構造を示す説明図。
【図１０】本発明の他の実施形態において、カーナビから携帯端末を介してディジタルTV放送受信機へデータが転送されるに際しての上記各機器に格納されるデータ転送管理表の状態遷移を時系列で示す説明図。
【図１１】本発明の他の実施形態において、カーナビから携帯端末を介してディジタルTV放送受信機へデータが転送されるに際しての上記各機器に格納されるデータ転送管理表の状態遷移を時系列で示す説明図。
【図１２】本発明の他の実施形態において、カーナビから携帯端末を介してディジタルTV放送受信機へデータが転送されるに際しての上記各機器に格納されるデータ転送管理表の状態遷移を時系列で示す説明図。
【符号の説明】
【００９８】
１  車輌
３  カーナビゲーションシステム（カーナビ）
５  ディジタル放送によるデータ送信系統（ディジタル放送系統）
７  ネットワーク通信によるデータ送信系統（ネットワーク通信系統）
９  携帯端末
１１  放送局に設置されるサーバ（放送局サーバ）
１３  ディジタル放送送信機
１５  居間
１７  ディジタルTV放送受信機
１９  サービスセンタサーバ
２１  書斎
２３  PC機器
２５  通信ネットワーク
２７、３９、５１、６５  データ格納部
２９、４１、５５、６９  短距離無線通信部
３１、４３、５７、７１  制御部
３３、４５、５９、７３  機器管理表
３５、４７、６１、７５  データ転送管理表
３７、４９、６３、７７  データ
５３  ディジタル放送受信部
６７  ネットワーク通信部
【図１】
2008182365.tif 000003
【図２】
2008182365.tif 000004
【図３】
2008182365.tif 000005
【図４】
2008182365.tif 000006
【図５】
2008182365.tif 000007
【図６】
2008182365.tif 000008
【図７】
2008182365.tif 000009
【図８】
2008182365.tif 000010
【図９】
2008182365.tif 000011
【図１０】
2008182365.tif 000012
【図１１】
2008182365.tif 000013
【図１２】
2008182365.tif 000014